(57)【要約】      （修正有）【課題】姿勢を変化させることなく配光を制御できる照明器具を提供する。【解決手段】照明器具１は、灯具本体と、反射部と、保持部材６と、筐体２と、支持軸９とを備える。灯具本体は、光を出射する。反射部は、光を反射する。保持部材６は、灯具本体及び反射部を保持する。筐体２は、灯具本体、反射部、及び保持部材６を収容する。支持軸９は、筐体２内において保持部材６を回動自在に支持する。筐体２は側壁に開口２１ａを有し、筐体２の開口２１ａから筐体２の外部へ光が出射される。【選択図】図５
2019212373.tif 000002
【特許請求の範囲】
【請求項１】
光を出射する灯具本体と、
前記光を反射する反射部と、
前記灯具本体及び前記反射部を保持する保持部材と、
前記灯具本体、前記反射部、及び前記保持部材を収容する筐体と、
前記筐体内において前記保持部材を回動自在に支持する支持軸と
を備え、
前記筐体は側壁に開口を有し、
前記側壁の開口から前記筐体の外部へ前記光が出射される、照明器具。
【請求項２】
前記灯具本体に電力を供給する電源装置を更に備え、
前記保持部材は、前記電源装置を更に保持する、請求項１に記載の照明器具。
【請求項３】
前記支持軸を介して前記保持部材を支持する支持部材を更に備える、請求項１又は請求項２に記載の照明器具。
【請求項４】
前記筐体は、前記支持軸を介して前記保持部材を支持する、請求項１又は請求項２に記載の照明器具。
【請求項５】
前記筐体は、筒状部と、前記筒状部の一方の端面の開口を覆うカバー部とを備える、請求項１から請求項４のいずれか１項に記載の照明器具。
【請求項６】
前記保持部材を回動させる操作部を更に備える、請求項１から請求項５のいずれか１項に記載の照明器具。
【発明の詳細な説明】
【技術分野】
【０００１】
本発明は、照明器具に関する。
【背景技術】
【０００２】
発光装置と、反射部と、発光装置及び反射部を収容する筐体とを備える照明装置が知られている（例えば、特許文献１参照。）。反射部は、発光装置が発光した光を反射する。照明装置は、反射部が反射した光を筐体の外部に放出する。
【先行技術文献】
【特許文献】
【０００３】
【特許文献１】特開２０１７−０４５６９８号公報
【発明の概要】
【発明が解決しようとする課題】
【０００４】
しかしながら、一般的に、反射部を備える照明器具において、光源及び反射部の位置は固定されている。したがって、照明器具の姿勢を変化させない限り、配光を制御することができない。
【０００５】
本発明は上記課題に鑑みてなされたものであり、その目的は、姿勢を変化させることなく配光を制御できる照明器具を提供することにある。
【課題を解決するための手段】
【０００６】
本願に開示する照明器具は、灯具本体と、反射部と、保持部材と、筐体と、支持軸とを備える。前記灯具本体は、光を出射する。前記反射部は、前記光を反射する。前記保持部材は、前記灯具本体及び前記反射部を保持する。前記筐体は、前記灯具本体、前記反射部、及び前記保持部材を収容する。前記支持軸は、前記筐体内において前記保持部材を回動自在に支持する。前記筐体は側壁に開口を有し、前記側壁の開口から前記筐体の外部へ前記光が出射される。
【０００７】
本願に開示する照明器具は、前記灯具本体に電力を供給する電源装置を更に備え得る。この場合、前記保持部材は、前記電源装置を更に保持してもよい。
【０００８】
本願に開示する照明器具は、前記支持軸を介して前記保持部材を支持する支持部材を更に備え得る。
【０００９】
本願に開示する照明器具において、前記筐体は、前記支持軸を介して前記保持部材を支持し得る。
【００１０】
本願に開示する照明器具において、前記筐体は、筒状部と、前記筒状部の一方の端面の開口を覆うカバー部とを備え得る。
【００１１】
本願に開示する照明器具は、前記保持部材を回動させる操作部を更に備え得る。
【発明の効果】
【００１２】
本発明によれば、照明器具の姿勢を変化させることなく配光を制御することができる。
【図面の簡単な説明】
【００１３】
【図１】本発明の実施形態１に係る照明器具を示す斜視図である。
【図２】本発明の実施形態１に係る照明器具の構成を示す断面図である。
【図３】本発明の実施形態１に係る照明器具の構成を示す断面図である。
【図４】右側から見た照明器具の断面の一部を示す図である。
【図５】右側から見た照明器具の断面の一部を示す図である。
【図６】本発明の実施形態２に係る照明器具の構成を示す断面図である。
【図７】本発明の実施形態２に係る照明器具の構成を示す側面図である。
【図８】本発明の他の実施形態に係る照明器具の構成を示す断面図である。
【図９】本発明の更なる他の実施形態に係る照明器具の構成を示す断面図である。
【発明を実施するための形態】
【００１４】
以下、図面を参照して本発明の実施形態を説明する。但し、本発明は以下の実施形態に限定されない。なお、説明が重複する箇所については、適宜説明を省略する場合がある。また、図中、同一又は相当部分については同一の参照符号を付して説明を繰り返さない。
【００１５】
［実施形態１］
まず図１を参照して、本実施形態の照明器具１を説明する。図１は、照明器具１を示す斜視図である。本実施形態の照明器具１は、例えば、ポール灯又はガーデンライトのような屋外用の照明器具として使用される。あるいは、本実施形態の照明器具１は、例えば、屋外に設置された看板を照らす照明器具として使用される。
【００１６】
図１に示すように、照明器具１は、筐体２を備える。筐体２は、出射部２１ａを有する。出射部２１ａは、筐体２の側壁に形成された開口である。照明器具１は、出射部２１ａから筐体２の外部に光を出射する。
【００１７】
本実施形態において、筐体２は、例えば地面又は路面のような設置面Ｇに設置される。本実施形態では、設置面Ｇ側を「下側」とし、その反対側を「上側」として、上下方向を規定する。また、筐体２において出射部２１ａが配置される側を「前側」とし、その反対側を「後側」として、前後方向を規定する。更に、照明器具１を前からみて右側を「右側」とし、その反対側を「左側」として、左右方向を規定する。なお、本実施形態の出射部２１ａは、筐体２の上部に配置される。
【００１８】
続いて図２を参照して、照明器具１の構成を説明する。図２は、照明器具１の構成を示す断面図である。詳しくは、図２は、右側から見た照明器具１の断面の一部を示す。図２に示すように、照明器具１は、筐体２に加えて、灯具本体３、反射部４、電源ユニット５、保持部材６、支持部材７、及びパネル８を更に備える。
【００１９】
筐体２は、灯具本体３、反射部４、電源ユニット５、保持部材６、支持部材７、及びパネル８を収容する。具体的には、筐体２は、筒状部２１と、カバー部２２と、ベース部２３とを備える。
【００２０】
筒状部２１は、筒状の部材であり、上側の端面及び下側の端面の各々に開口を有する。以下、筒状部２１の上側の開口を「上側開口」と記載し、筒状部２１の下側の開口を「下側開口」と記載する場合がある。本実施形態において、筒状部２１は、矩形状である。
【００２１】
カバー部２２は、筒状部２１の上面側に配置されて、筒状部２１の上側開口を覆う。ベース部２３は、筒状部２１の下面側に配置されて、筒状部２１の下側開口を覆う。本実施形態において、カバー部２２は、ねじのような固定部材によってカバー部２２の外側から筒状部２１に固定される。
【００２２】
灯具本体３は、反射部４へ向けて光を出射する。具体的には、灯具本体３は、例えばＬＥＤ（Ｌｉｇｈｔ  Ｅｍｉｔｔｉｎｇ  Ｄｉｏｄｅ）のような光源３１を備える。光源３１は、電源ユニット５から供給される電力に応じて光を発生する。光源３１から発生した光が、灯具本体３から出射される。なお、灯具本体３は、レンズ及びヒートシンクを備えてもよい。灯具本体３がレンズを備えることにより、反射部４へ向けて光を効率よく送ることができる。また、灯具本体３がヒートシンクを備えることにより、灯具本体３の発熱を抑制することができる。
【００２３】
反射部４は、灯具本体３から入射した光を出射部２１ａへ向けて反射する。この結果、出射部２１ａから筐体２の外部に光が出射される。本実施形態の照明器具１は、図１を参照して説明した設置面Ｇを照らす光を出射する。具体的には、本実施形態の反射部４は、板状の部材であり、略斜め上に向けてなだらかに膨らむ湾曲形状を有し、反射部４の内側の面が反射面として機能する。
【００２４】
電源ユニット５は、灯具本体３へ供給する電力を生成する。具体的には、電源ユニット５は、電源装置５１を備える。電源装置５１には、例えば商用電源のような電源から電源電圧が供給される。電源装置５１は、電源電圧に基づき、光源３１に供給する電力を生成する。例えば、光源３１がＬＥＤである場合、電源装置５１は、交流電源電圧を変圧するとともに、変圧後の交流電源電圧を直流電源電圧に変換する。更に、電源装置５１は、直流電源電圧に基づいて定電流を生成する。この定電流が、光源３１へ供給される。
【００２５】
保持部材６は、灯具本体３、反射部４、及び電源ユニット５を保持する。換言すると、灯具本体３、反射部４、及び電源ユニット５の保持部材６における位置は固定されている。
【００２６】
支持部材７は、保持部材６を支持する。換言すると、支持部材７は、保持部材６を介して灯具本体３、反射部４、及び電源ユニット５を支持する。詳しくは、支持部材７の上端部はカバー部２２に固定されており、支持部材７の下端部が保持部材６を支持する。
【００２７】
パネル８は、出射部２１ａを覆うカバー部材である。パネル８は、例えばガラスのような透光性の高い材料からなる。照明器具１がパネル８を備えることで、出射部２１ａから筐体２の内部に虫や粉塵等の異物が侵入し難くなる。また、出射部２１ａから筐体２の内部に雨等の水分が侵入し難くなる。
【００２８】
続いて図３を参照して、照明器具１の構成を更に説明する。図３は、照明器具１の構成を示す断面図である。詳しくは、図３は、前側から見た照明器具１の断面の一部を示す。
【００２９】
図３に示すように、照明器具１は、２つの支持部材７と、２つの軸部材９とを備える。２つの支持部材７は、保持部材６を挟んで左右方向に対向する。２つの軸部材９は、２つの支持部材７を保持部材６に連結させる。したがって、支持部材７は、軸部材９を介して保持部材６を支持する。軸部材９は、例えばビスである。２つの軸部材９の軸心方向は一致する。
【００３０】
詳しくは、保持部材６は、左右方向に対向する２つの側板部６１を有する。軸部材９は、支持部材７の下端部を側板部６１に連結させる。軸部材９は、筐体２内において保持部材６を回動自在に支持する支持軸を構成する。したがって、筐体２内において、軸部材９の軸心を中心として保持部材６を回動（傾動）させることができる。換言すると、灯具本体３と反射部４との相対位置を変化させることなく、筐体２内において、灯具本体３及び反射部４を軸部材９の軸心まわりに回動（傾動）させることができる。
【００３１】
また、側板部６１は、側板部６１と軸部材９との間の摩擦力以上の力が保持部材６に加えられた場合にのみ保持部材６の回動（傾動）が可能となるように構成されている。したがって、保持部材６を傾けても、保持部材６の姿勢を維持することができる。なお、軸部材９が挿入される側板部６１の貫通孔に、側板部６１と軸部材９との間の摩擦力を調整するための部材（例えば、ゴム材）を設けてもよい。
【００３２】
続いて図４及び図５を参照して、照明器具１の配光制御について説明する。図４は、右側から見た照明器具１の断面の一部を示す図である。詳しくは、図４は、第１の姿勢の保持部材６を示す。第１の姿勢は、上下方向に対して保持部材６が傾斜していない姿勢を示す。
【００３３】
図４に示すように、保持部材６の姿勢が第１の姿勢である場合、出射部２１ａから第１光Ｌ１が出射される。本実施形態において、第１光Ｌ１は、斜め下方向に向けて出射される。
【００３４】
図５は、右側から見た照明器具１の断面の一部を示す図である。詳しくは、図５は、第２の姿勢の保持部材６を示す。なお、図５には、理解を容易にするために、第１の姿勢の保持部材６及び第１光Ｌ１を破線で示している。第２の姿勢は、上下方向に対して保持部材６が傾斜している姿勢を示す。具体的には、第２の姿勢は、軸部材９の軸心を中心として保持部材６が反時計回りに傾動した姿勢を示す。
【００３５】
図５に示すように、保持部材６の姿勢が第２の姿勢である場合、出射部２１ａから第２光Ｌ２が出射される。第２光Ｌ２は、第１光Ｌ１よりも更に斜め下方向に出射される。なお、本実施形態において、保持部材６の姿勢は、保持部材６を筒状部２１に収容する前に設定する。
【００３６】
以上、図１〜図５を参照して本発明の実施形態１について説明した。本実施形態によれば、保持部材６の姿勢を変化させることにより、出射部２１ａから光が出射される方向を変化させることができる。具体的には、軸部材９の軸心を中心に保持部材６を回動させることにより、出射部２１ａから光が出射される方向を変化させることができる。したがって、照明器具１の姿勢を変化させることなく、照明器具１の配光を制御することができる。換言すると、照明器具１の外観を変化させることなく、照明器具１の配光を制御することができる。
【００３７】
なお、本実施形態において、保持部材６が電源ユニット５を保持したが、電源ユニット５は筐体２に固定されてもよい。
【００３８】
また、本実施形態において、照明器具１は、２つの支持部材７及び２つの軸部材９を備えたが、照明器具１は、１つの支持部材７及び１つの軸部材９を備えてもよい。
【００３９】
［実施形態２］
続いて図６及び図７を参照して本発明の実施形態２について説明する。但し、実施形態１と異なる事項を説明し、実施形態１と同じ事項についての説明は割愛する。実施形態２は、照明器具１が操作部１０を備える点で実施形態１と異なる。
【００４０】
図６は、実施形態２に係る照明器具１の構成を示す断面図である。詳しくは、図６は、前側から見た照明器具１の断面の一部を示す。図６に示すように、本実施形態において、照明器具１は、操作部１０を更に備える。また、筐体２は、図７を参照して説明する長穴１０ａを有する。
【００４１】
操作部１０は、２つの側板部６１のうちの一方に設けられる。本実施形態の操作部１０は、右側の側板部６１に固定される。操作部１０は、側板部６１から突出する。具体的には、操作部１０は、側板部６１から筐体２の外側まで延びる。
【００４２】
長穴１０ａは、筐体２を左右方向に貫通する。本実施形態では、長穴１０ａは、筒状部２１の右側の側壁に形成される。操作部１０は、長穴１０ａに挿入されて、筐体２の外側に突出する。
【００４３】
図７は、実施形態２に係る照明器具１の構成を示す側面図である。詳しくは、図７は、右側から見た筐体２の側面の一部を示す。すなわち、図７は、筒状部２１の右側の側壁を示す。なお、図７には、理解を容易にするために、軸部材９を破線で示している。
【００４４】
図７に示すように、長穴１０ａは、円弧形状を有する。詳しくは、長穴１０ａは、軸部材９の軸心を中心とする周方向に延びる。したがって、ユーザーは、操作部１０を長穴１０ａに沿って移動させて、保持部材６の姿勢が変化させることができる。詳しくは、保持部材６は、操作部１０の移動に応じて、軸部材９の軸心を中心に回動（傾動）する。なお、筒状部２１の右側の側壁に、長穴１０ａに沿って、目盛り又は配光角度が表記されてもよい。
【００４５】
以上、図６及び図７を参照して本発明の実施形態２について説明した。本実施形態によれば、ユーザーは、操作部１０を操作して、出射部２１ａから光が出射される方向を変化させることができる。したがって、ユーザーは、照明器具１の姿勢を変化させることなく、照明器具１の配光を容易に制御することができる。すなわち、ユーザーは、照明器具１の外観を変化させることなく、照明器具１の配光を制御することができる。
【００４６】
なお、本実施形態では、照明器具１の右側に操作部１０及び長穴１０ａを設けたが、照明器具１の左側に操作部１０及び長穴１０ａを設けてもよいし、照明器具１の左右両側に操作部１０及び長穴１０ａを設けてもよい。
【００４７】
以上、図面（図１〜図７）を参照して本発明の実施形態１、２について説明した。但し、本発明は、上記の実施形態に限られるものではなく、その要旨を逸脱しない範囲で種々の態様において実施できる。例えば、上記の実施形態に開示される複数の構成要素は適宜改変可能である。
【００４８】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【００４９】
例えば、本発明による実施形態において、支持部材７の下端部が軸部材９を介して保持部材６に連結されたが、図８に示すように、支持部材７の上端部が軸部材９を介して保持部材６に連結されてもよい。図８は、他の実施形態に係る照明器具１の構成を示す断面図である。詳しくは、図８は、前側から見た照明器具１の断面の一部を示す。図８に示す照明器具１において、支持部材７の下端部はベース部２３に固定され、支持部材７はベース部２３から上側に延びる。なお、支持部材７がベース部２３に固定される場合、ユーザーは、カバー部２２を筒状部２１から外して、筒状部２１に収容されている保持部材６の姿勢を操作することができる。
【００５０】
また、本発明による実施形態において、照明器具１は支持部材７を備えたが、図９に示すように、支持部材７は省略されてもよい。図９は、更なる他の実施形態に係る照明器具１の構成を示す断面図である。詳しくは、図９は、前側から見た照明器具１の断面の一部を示す。図９に示す照明器具１において、筐体２は、軸部材９を介して保持部材６を支持する。具体的には、保持部材６は、軸部材９を介して筒状部２１に連結される。なお、保持部材６が筒状部２１に連結される場合、ユーザーは、カバー部２２を筒状部２１から外して、筒状部２１に収容されている保持部材６の姿勢を操作することができる。
【００５１】
また、本発明による実施形態において、出射部２１ａは筐体２の側壁に形成されたが、出射部２１ａの位置は任意に設定することができる。例えば、出射部２１ａは、筐体２の側壁に加えて、筐体２の上壁に更に形成されてもよい。
【００５２】
また、本発明による実施形態において、筒状部２１は矩形状であったが、筒状部２１の形状は、中空形状である限り限定されない。例えば、筒状部２１は円筒状であってもよい。
【００５３】
また、本発明による実施形態において、照明器具１はパネル８を備えたが、パネル８は省略され得る。
【００５４】
また、本発明による実施形態において、照明器具１は屋外に設置されたが、照明器具１は屋内に設置されてもよい。なお、照明器具１を屋内に設置する場合、照明器具１は、床面に設置されてもよいし、壁面に設置されてもよいし、天井面に設置されてもよい。例えば、照明器具１は、屋内に設置されたマネキン又は商品を照らす照明器具として使用され得る。
【産業上の利用可能性】
【００５５】
本発明は、照明器具の分野に適用することができる。
【符号の説明】
【００５６】
１      照明器具
２      筐体
３      灯具本体
４      反射部
６      保持部材
７      支持部材
９      軸部材
１０    操作部
１０ａ  長穴
２１    筒状部
２１ａ  出射部
２２    カバー部
５１    電源装置
【図１】
2019212373.tif 000003
【図２】
2019212373.tif 000004
【図３】
2019212373.tif 000005
【図４】
2019212373.tif 000006
【図５】
2019212373.tif 000007
【図６】
2019212373.tif 000008
【図７】
2019212373.tif 000009
【図８】
2019212373.tif 000010
【図９】
2019212373.tif 000011